(57)【特許請求の範囲】
【請求項１】
中央位置に支持軸取り付け用の第１の透孔が形成された主基板と、
前記主基板の外周に形成された加工手段と、
前記主基板の中央位置であって表裏両面に配置された前記主基板よりも小さな一対の同形状の回転対称となる外形形状を有する小基板と、から構成され、
前記主基板に対して前記加工手段を形成させた状態でブレード本体の外形形状が構築され、前記主基板の前記小基板の外周に隣接した位置に表裏方向に透過する第２の透孔を形成するとともに、前記主基板の前記小基板に覆われた領域には前記第２の透孔と連通する第３の透孔を形成したことを特徴とする回転ブレード。
【請求項２】
複数の前記第２の透孔を回転対称性を損なわない位置に形成したことを特徴とする請求項１に記載の回転ブレード。
【請求項３】
前記第３の透孔は前記第２の透孔よりも大きいことを特徴とする請求項１又は２に記載の回転ブレード。
【請求項４】
前記加工手段はダイヤモンド焼結体からなる切削加工又は研削加工をするための手段であることを特徴とする請求項１〜３のいずれかに記載の回転ブレード。
【発明の詳細な説明】
【技術分野】
【０００１】
本発明は高速回転させて硬質のワーク、例えば、石材、金属材料、コンクリートブロック、タイル、木材等を切削や研削等の加工をするために使用する回転ブレードに関するものである。
【背景技術】
【０００２】
従来から、硬質のワーク、例えば、石材、金属材料、コンクリートブロック、タイル、木材等を加工するため、例えば切削するために外周にダイヤモンド焼結体からなる刃体を形成したダイヤモンドカッターを使用している。このように高速回転させて硬質のワークを加工するダイヤモンドカッターの一例として特許文献１を示す。
【先行技術文献】
【特許文献】
【０００３】
【特許文献１】特開２００２−６６９３２号公報
【発明の概要】
【発明が解決しようとする課題】
【０００４】
しかしながら、ダイヤモンドカッターのような回転ブレードで従来から問題とされるのは振動と騒音である。切削における振動と騒音の原因の１つは刃体がワークに当接する際に刃体の不連続な部分がワークと干渉することにある。例えば上記特許文献１では騒音を抑制するために基板に複数のスリットを形成する技術が開示されている。従来から回転ブレードによって加工する際に騒音や振動を抑制する様々な手段が提案されており、本発明もそのような加工の際の騒音や振動を抑制することを目的とするものである。
【課題を解決するための手段】
【０００５】
上記課題を解決するための手段として、中央位置に支持軸取り付け用の第１の透孔が形成された主基板と、前記主基板の外周に形成された加工手段と、前記主基板の中央位置であって表裏両面に配置された前記主基板よりも小さな一対の同形状の回転対称となる外形形状を有する小基板と、から構成され、前記主基板に対して前記加工手段を形成させた状態でブレード本体の外形形状が構築され、前記主基板の前記小基板の外周に隣接した位置に表裏方向に透過する第２の透孔を形成したことをその要旨とする。
回転ブレードの加工手段がワークに当接するとその加工手段の形状にも左右されるが回転ブレードの径方向だけでなく回転軸と交差する方向にも力が作用する。これによって回転する回転ブレードのブレが生じ、ワークと加工手段との干渉が生じて振動と騒音の原因になると想定できる。本願発明のように構成とすると、回転ブレードが高速で回転すると第２の透孔と段差のある小基板との相互作用によってその周辺の表裏面に乱気流が発生することとなり回転ブレードのブレが抑制されることとなる。その結果、加工に伴う振動と騒音が抑制されることとなる。
ここに「主基板」は回転を付与する支持軸を取り付けるための第１の透孔が形成されており、その外周に加工手段を取り付けることでブレード本体が構築される。ブレード本体は回転対称となる形状とすることが振動と騒音の抑制のためによい。回転対称は主基板に形成した透孔等の位置を含めて回転対称とすることがもっともよいが、透孔の影響が大きくなければ特に加工手段が形成されている外周の形状について回転対称であればよい。
「加工手段」とは切削手段及び研削手段を含むものである。加工手段は主基板の外周に焼結材料を配置して一体的に焼結する場合や、別途ダイヤモンド焼結体や超硬合金材等からなる刃体や砥石を溶接等で後付けする場合の両方を含むものである。
表裏に配置される「小基板」は回転対称となる外形形状を有し同じ形状であることが必要である。同形状に構成することで表裏に均等に乱気流を発生させるためである。小基板の回転対称性は刻印や塗装のような表面のわずかな違いで左右されるものではない。主基板を回転対称とする場合も同様である。
【０００６】
また、複数の第２の透孔は回転対称性を損なわない位置に形成することがよい。「回転対称性を損なわない」とは、例えば、第２の透孔が２つならば１８０度の対向位置に、第２の透孔が３つならば１２０度ずつ位相のずれた位置というようにバランスのとれた回転対称となる位置に配置されることを意味する。複数の第２の透孔は同じ形状であることがよい。
また、主基板の小基板に覆われた領域には第２の透孔と連通する第３の透孔を形成することがよい。これによって、第２の透孔をそれほど大きくしなくとも（つまり、大きく構成すると主基板の強度に影響がある）大きな乱気流を発生させることができる。また、第３の透孔を形成することで回転ブレード全体として中心寄りの荷重を周囲よりも軽量とすることができ、回転時の安定した回転に寄与する。また、第３の透孔を第２の透孔よりも大きくすることがよい。
【発明の効果】
【０００７】
本発明の回転ブレードでは、加工に伴う振動と騒音が抑制されることとなる。
【図面の簡単な説明】
【０００８】
【図１】本発明の実施の形態のダイヤモンドカッターの正面図。
【図２】図１のＡ−Ａ断面線での断面図。
【図３】同じ実施の形態のダイヤモンドカッターの主基板と小基板を説明する説明図。
【図４】同じ実施の形態のダイヤモンドカッターの斜視図とダイヤチップの部分拡大図。
【発明を実施するための形態】
【０００９】
以下、本発明の回転ブレードの一例としてダイヤモンドカッターの実施の形態について図面に基づいて説明する。
図１〜図３に示すように、本実施の形態のダイヤモンドカッター１は、炭素工具鋼からなる円板形状の主基板２を備えている。主基板２の外周には加工手段としてのダイヤチップ３が形成されている。ダイヤチップ３はＣｕ、Ｆ、Ｎｉ、Ｔｉ及びダイヤモンドを主原料とする焼結材料を主基板２とともに金型に配置して同時焼結で成形したダイヤモンド焼結体である。主基板２にダイヤチップ３が形成された状態でブレード本体４が構成される。主基板２は表裏平面に形成され厚みは８ｍｍに構成されており、ダイヤチップ３の厚みは１１ｍｍに構成されている。ダイヤチップ３は均等な幅（約７．５ｍｍ）で主基板２を外周から包囲している。ダイヤチップ３では一方の面で凹溝と凸条が交互に配置されその裏面で凹溝と凸条の関係が逆転するように切削部３ａが形成されている。凹溝と凸条の延出方向は直径に対して所定の角度（本実施の形態では２９度）で配置されている。ダイヤチップ３はこのような構成であるため、図４に示すように、先端（周方向端面）においては台形が表裏で交互に繰り返すようなジグザグ形状として現れる。このような形状のダイヤチップ３において高速回転で固いワークに当接すると凹凸形状による振動とその振動に基づく騒音が発生することとなる。
【００１０】
図２に示すように、主基板２の中央には例えばディスクカッター装置の支持軸（回転軸）が挿入される第１の透孔としての円形形状の軸取り付け孔５が形成されている。軸取り付け孔５の周囲には４つの異形透孔６が形成されている。異形透孔６は切削部３ａよりも軸取り付け孔５に近い位置に配置されている。異形透孔６は主基板２の中心から等距離で、かつ９０度ずつ位相のずれた位置にバランスよく配置されている。異形透孔６は主基板２の半径方向に沿って中心から外方に向かって伸びる小判形状のスリット部６ａとスリット部６ａの基部側と一体となった軸取り付け孔５の周方向に左右均等に張り出した膨出部６ｂとから構成される孔である。この異形透孔６は主基板２においてダイヤチップ３よりも軸取り付け孔５に近い位置に形成する必要がある。主基板２のダイヤチップ３寄りには８つの円形の小透孔８が形成されている。各小透孔８は４５度ずつ位相のずれた位置にバランスよく配置されている。また、小透孔８はスリット部６ａと離間した位置に配置され、かつ主基板２とスリット部６ａを通る直径上には配置されない。
図１〜図３に示すように、主基板２の表裏には一対の小基板９が配設されている。小基板９は炭素工具鋼からなるリング状の部材であり、主基板２の軸取り付け孔５と同形状の円形形状の透孔１０が形成されており、透孔１０の周囲は同幅に形成されている。小基板９は表裏平面に形成され厚みは８ｍｍに構成されている。小基板９は主基板２の表裏面に対してスポット溶接によって固定されている。小基板９によって主基板２は挟まれることとなり、小基板９によって異形透孔６の大部分は表裏から包囲され、図１に示すようにスリット部６ａの先端が覆われずに略半円形形状にわずかに露出する。異形透孔６のこのわずかに露出したスリット部６ａの先端が第２の透孔に相当し、小基板９によって被覆された部分が第３の透孔に相当する。
【００１１】
このような構成のダイヤモンドカッター１では、使用時に高速回転させた場合に表裏両面の小基板９の外縁のわずかに露出したスリット部６ａの先端（第２の透孔）の周囲に乱気流が発生する。この実施の形態では表裏各面のスリット部６ａの先端（第２の透孔）の中心として各４カ所にバランスよく発生する。この乱気流によって発生する圧力がダイヤモンドカッター１を保持する力となり、加工時に支持軸（回転軸）の軸方向と交差する力を抑制する効果が発現すると考えられる。
そのため、切削加工においてワークとの間で発生する振動及び騒音が抑制される。
また、本実施の形態では小基板９内部に実際に露出する以上の空間が連通されているため、スリット部６ａの露出量が小さいにも関わらず乱気流を大きく（強く）する作用がある。露出は大きい方が乱気流が大きくなるが、その反面主基板２の剛性が低下するため、振動の原因になってしまう。そのため、このような構成とすることがよい。また、小基板９が異形透孔６の大部分を覆う主基板２の中心寄りに配置されているため、異形透孔６の形成によって軽量化を図ることができると同時に、この主基板２の中心寄り領域の剛性を向上させることができる。
【００１２】
尚、この発明は、次のように変更して具体化することも可能である。
・上記主基板２、ダイヤチップ３、小基板９の形状は一例であって、他の形状で実施することも自由である。例えば、主基板２にダイヤチップ３が形成されたブレード本体４の外郭形状（正面視における周囲形状）は円形であったが、円形でなくとも回転対称となる外周形状（つまりダイヤチップ３より外側が回転対称）であればよい。主基板２の側面に形成される小透孔８の有無やその他の形状や数への変更も自由である。小基板９も回転対称であって外縁に露出する第２の透孔がバランスよく配置されるのであれば形状は問わない。また、塗装の有無も問わない。
・上記異形透孔６の形状や数も上記に限定されるものではない。第２の透孔の露出量も変更は自由である。また、主基板２内に透孔が形成されないような構成でもよい。
・また、加工手段としては他のダイヤモンド焼結体や超硬合金材等からなる刃体や砥石を溶接等で後付けするようにしてもよい。上記では切削するためのダイヤモンドカッター１で実現したが、例えばディスクグラインダー装置に使用する研削用の回転ブレードに適用するようにしてもよい。
その他本発明はその趣旨を逸脱しない態様で変更して実施することは自由である。
【符号の説明】
【００１３】
１…回転ブレードとしてのダイヤモンドカッター、２…主基板、３…加工手段としてのダイヤチップ、５…第１の透孔としての軸取り付け孔、９…小基板、６ａ…第２の透孔としてのスリット部。
【図１】
0005934293.tif 000002
【図２】
0005934293.tif 000003
【図３】
0005934293.tif 000004
【図４】
0005934293.tif 000005